(57)【要約】【課題】現在、通信機能を利用してインターネットとの接続や電子メールの送受信が可能な携帯電話が開発されているが、例えば、折り畳み可能な携帯電話において、メールを送信する場合には、わざわざ携帯電話を開いて、筐体の前面に形成されたメイン液晶や操作キーを利用して文字入力する必要があり、使い勝手に関する検討が十分になされていなかった。【解決手段】上記課題を解決するために、第１、第２の筐体とがヒンジ部を介して折り畳み可能であって、該第１の筐体と該第２の筐体とが折り畳まれた状態において動画もしくは静止画の撮像が可能な携帯端末であって、該第１の筐体と該第２の筐体とが折り畳まれた状態において文字情報の入力領域を備えない画面表示を用いて撮像された動画もしくは静止画を所望のアドレスに送信するように構成すればよい。【選択図】図６
2004128908.tif 000002
【特許請求の範囲】
【請求項１】
第１及び第２の筐体とがヒンジ部を介して折り畳み可能であって、該第１の筐体と該第２の筐体とが折り畳まれた状態において動画もしくは静止画の撮像が可能な携帯端末であって、
該第１の筐体と該第２の筐体とが折り畳まれた状態において、文字情報の入力領域を備えない画面表示を用いて、撮像された動画もしくは静止画を所望のアドレスに送信するように構成したことを特徴とする携帯端末。
【請求項２】
前記該第１の筐体と該第２の筐体とが折り畳まれていない状態において、文字情報の入力領域を備えた画面表示を用いて、撮像された動画もしくは静止画を所望のアドレスに送信するように構成したことを特徴とする請求項２記載の携帯端末。
【請求項３】
折り畳まれた状態であるか否かを検出する検出部をさらに有し、該検出部の検出結果に応じて前記文字情報の入力領域を備えた画面表示と前記文字情報の入力領域を備えない画面表示とを切り換えて表示するように構成したことを特徴とする請求項３記載の携帯端末。
【請求項４】
前記文字情報の入力領域を備えた画面表示を折り畳まれない状態において使用可能な第１の表示部に表示させ、前記文字情報の入力領域を備えない画面表示を折り畳まれた状態において使用可能な第２の表示部に表示させるように構成したことを特徴とする請求項３または４記載の携帯端末。
【請求項５】
所望の文字情報を予め記憶する記憶部をさらに備え、予め記憶した文字情報と共に前記動画もしくは静止画を送信するように構成したことを特徴とする請求項１記載の携帯端末。
【請求項６】
第１、第２の筐体とがヒンジ部を介して折り畳み可能な携帯端末であって、
該第１の筐体と該第２の筐体とが折り畳まれた状態において、文字情報の入力領域を備えない画面表示を用いて、所望の送信相手にメールを送信するように制御する制御部を有することを特徴とする携帯端末。
【請求項７】
動画もしくは静止画を撮像する撮像部と、
該撮像部により撮像された動画もしくは静止画を文字情報の入力領域を備えない画面表示を用いて、所望のアドレスに送信するように制御する制御部とを有することを特徴とする携帯端末。
【発明の詳細な説明】
【０００１】
【発明の属する技術分野】
本発明は、例えば、携帯電話、ＰＨＳ、ＰＤＡ（Ｐｅｒｓｏｎａｌ　Ｄｉｇｉｔａｌ　Ａｓｓｉｓｔａｎｔ）やＰＣＳ　（Ｐｅｒｓｏｎａｌ　Ｃｏｍｍｕｎｉｃａｔｉｏｎｓ　Ｓｅｒｖｉｃｅｓ）、ＰＣ（Ｐｅｒｓｏｎａｌ　Ｃｏｍｐｕｔｅｒ）等の携帯端末に関するものである。
【０００２】
【従来の技術】
現在、電話としての機能だけでなく、通信機能を利用してインターネットとの接続や電子メールの送受信が可能な携帯電話が開発されている（例えば、特許文献１）。
【０００３】
一方、折り畳んだ状態においても前面に形成されたメイン液晶を利用可能とすべく、そのメイン液晶が露出するように通常とは反対側に折り畳み可能とした構成が特許文献２に開示されている。
【０００４】
同様に、前面にメイン液晶が形成された筐体をヒンジ部に対して水平方向に１８０度回転させて折り畳むことにより、折り畳んだ状態においてメイン液晶を露出させて使用可能とする構成が特許文献３に開示されている。
【０００５】
なお、前面とは、折り畳み可能な携帯電話を開いた状態で露出する面であり、背面とは折り畳まれた状態（閉じた状態）において露出する面であり、前面の裏側の面である。
【０００６】
【特許文献１】
特開平１０−３１３３３８号公報（図１）
【特許文献２】
特開２００１−１８６３９６号公報（図１）
【特許文献３】
特開２００１−３２０４６３号公報（図２）
【０００７】
【発明が解決しようとする課題】
しかしながら、上記公知例などに開示されるような一般的な携帯端末では、メールを送信する場合には、わざわざ携帯電話を開いて、筐体の前面に形成されたＬＣＤ（メイン液晶）や操作キーを利用して文字入力する必要があり、メール送信時における使い勝手に関する検討が十分になされていなかった。これは折り畳みタイプの携帯端末に限らず、その他の携帯端末においても同様である。
【０００８】
また、いずれの公知例もメイン液晶とは別に設けられたサブ液晶を有効利用するという着想がなく、サブ液晶を有する場合のメール送信時の使い勝手に関しては全く検討がなされていない。
【０００９】
なお、特許文献３や特許文献４では、ともに、折り畳んだ状態において前面に形成されたメイン液晶を露出させて使用可能とする構成が開示されているものの、これはあくまでメイン液晶の利用についてのものであり、背面に形成されたサブ液晶に関するものではない。また、これらの携帯端末の場合、メイン液晶を露出させるためには、通常の持ち歩いたりする場合の折り畳まれた状態（本実施例における折り畳まれた（閉じた）状態）とは異なり、わざわざ筐体を反転もしくは回転させる必要もある。
【００１０】
従って、前述の如く、上記特許文献１乃至３いずれにおいても、メール送信時の使い勝手的な観点、例えば、メールや画像を素早くかつ簡単に送信するといった点に関して十分に検討されていなかった。特に、閉じた状態においてメイン液晶とは別に設けられたサブ液晶を有効利用することに関しても、十分に検討されていなかった。
【００１１】
そこで、本発明は、メール送信時に関する使い勝手を向上させることを目的とする。
【００１２】
【課題を解決するための手段】
本発明は、上記目的を達成するために、特許請求のとおりに構成したものである。
【００１３】
【発明の実施の形態】
まず、本発明を適用可能な携帯端末の構成と、その閉じた状態でカメラ撮影を行うことを説明し、その後、本発明のカメラ撮影された画像情報を送信する処理などについて説明する
以下、図面を用いて本発明の実施の形態を詳述する。なお、以下の図面において、同一の構成部については同符号を用いる。
【００１４】
図１は、本実施例の携帯電話の概観図を示し、図２は本実施例の構成ブロック図を示す。また、図１（１）に正面から見た筐体図、図１（２）に裏面から見た筐体図、図１（３）に横面から見た筐体図、図１（４）に折り畳まれた状態の筐体図をそれぞれ示す。
【００１５】
ここで、本実施例においては、図１（１）に示すように携帯端末を正面からみて左右上下の方向を定義する。
【００１６】
また、本明細書における携帯電話を構成する筐体の前面とは、図１（１）に示すような携帯電話を開いた状態において正面から見える範囲、その背面とは、図１（２）に示すような携帯電話を開いた状態において正面の裏面から見える範囲、その側面とは上記以外の範囲と定義する。
【００１７】
但し、現在の携帯電話では、筐体に流線型の形状が採用されており、前面及び背面と側面との境目がはっきりしないものも少なくない。例えば、図１５（１）に示すように、側面が基準面に対して約９０度となるものであれば、前述の定義より、前面とは携帯電話を開いた状態において正面から見える範囲、背面とは携帯電話を開いた状態において正面の裏面から見える範囲、側面とは上記以外の範囲と判断することは容易である。
【００１８】
しかしながら、図１５（２）に示すように、基準面に対して約９０度となる面がはっきりしないと、前面及び背面から全ての面が見えることとなり、前面及び背面と側面との境目もはっきりしない。
【００１９】
そこで、上記のような場合であっても筐体の上側部材と下側部材とが接合される接合部をまたがるように配置された操作キー（例えば、図１５（２）の操作キーＢ等）は、たとえ前面もしくは背面から見えたとしても、その操作キーは側面に配置されたものとみなすこととした。
【００２０】
また、筐体２００をヒンジ部３００に平行な面で切断した断面図例である図１５（３）に示すように、筐体２００において背面から見え、かつ上記接合部をまたがっていない位置に配置された操作キーであっても、その操作キーの配置位置の筐体面に対する法線方向と、携帯電話の接地状態における鉛直方向とのなす角度（α）が４５度以上なら、側面に配置されたものとみなすこととした。すなわち、操作キーの配置位置が背面又は側面のいずれに近いかによって背面に配置されているか、側面に配置されているかを判断することとした。
【００２１】
一方、筐体２００、２０１を略６面体と見なすことができるのであれば、その略６面体に基づいて前面、背面、及び側面を定義しても良い。
【００２２】
なお、いずれの場合も筐体を保持した使用状態において、例えば親指で操作可能な範囲であるかもしくは誤操作しにくい範囲であるが各面の境目を決める基準となっている。
【００２３】
さて、図１及び図２に示す折り畳み時の使い勝手を向上させた本実施例の携帯電話について説明する。本実施例の携帯電話は、開閉可能な２つの筐体２００と筐体２０１、及び撮像部、例えば、撮像カメラ１０９を有している。この筐体２００と筐体２０１はＸ−Ｘ軸を回動軸として折り畳み可能な構造であって、ヒンジ部３００において接続されている。
【００２４】
筐体２００は、電話のときに音声を出力するスピーカ１１１と、主な表示を行うメイン表示部１０３を備え、メイン表示部１０３の背面に簡易な表示を行うサブ表示部１０４及びサブ操作キー１０７（図１（２）において１０７ａ、１０７ｂ）を備えている。ここで、メイン表示部１０３には、電源状態、電波強度、電池残量、サーバ接続状態、未読メール等の動作状態を表示させるほか、入力した電話番号、メール宛先、メール送信文書等や、動画および静止画、着信時の発呼者の電話番号、着信メール文書、接続されたインターネット画面等の受信データの表示を行う。サブ表示部１０４には、携帯電話の動作状態、例えば、電源状態、電波強度、電池残量、サーバ接続状態、未読メールを示すアイコン等を表示させる。また、メイン表示部１０３及びサブ表示部１０４は、カメラ動作時においてはファインダーとして撮像カメラ１０９により撮像された画像情報を表示（モニター）させることができる。
【００２５】
また、着信メロディやｍｐ３等の音楽ファイルを再生するために用いられる楽曲スピーカ１１３も備わっている。
【００２６】
一方、筐体２０１は、主なる入力操作を行うメイン操作キー１０６と、音声を入力するマイク１１２とを備え、撮像カメラの撮像モードを切り換えるためのモード選択キー１０５を配している。ここで、メイン操作キー１０６は、電話番号その他の情報を入力する入力部であり、一般的な電話として使う時には、相手の電話番号を入力するのに用い、メール等を送る場合には文字情報等を入力する。
【００２７】
また、モード選択キー１０５は、例えば、動画像を撮影するための動画モード、静止画像を撮影するための静止画モード、撮像のための種々の設定を行う設定モード、撮像された画像を閲覧する閲覧モード、撮像された画像を編集する編集モード等のモードを切り換えるためのキーである。なお、本実施例では、上下方向にスライドするスライドキーを形成したが、ジョグダイアル等のダイアル式のキーを形成しても良い。なお、スライドキーには、上方向に所定時間スライドさせることで動画モードを、下方向に所定時間スライドさせることで静止画モードを選択可能に構成している。
【００２８】
ＣＰＵ１１０は、メモリ１０２に記憶されたプログラムに基づいて動作し、メイン操作キー１０６やサブ操作キー１０７からの入力に応じて各部を制御するものである。
【００２９】
電源部１１４は、携帯電話の各構成部を駆動するためのバッテリである。
【００３０】
折畳検出部１０８は、携帯電話の折り畳み状態を検出するものであり、例えば、筐体２００に磁石、筐体２０１にホール素子を備え、磁石により磁界を加えられたホール素子の電圧値のＨｉレベル　ｏｒ　Ｌｏｗレベルに基づいて開閉状態の検出を行う。なお、折畳検出部１０８は、開閉状態の検出ができれば、センサー又は凹凸係合等を利用したものであっても構わない。
【００３１】
また、種々のデータ、例えば、動画や静止画のデータ等を記憶するメモリ１０２を設けており、メモリ１０２は、一時的に記憶するための揮発メモリ１０２ａと電源のＯＮ／ＯＦＦに係らず記憶された状態を保つ不揮発メモリ１０２ｂとから構成されている。
【００３２】
また、通信部１０１を設けており、この通信部１０１を介して交換機やサーバとの通信機能や、ＧＰＳ（全地球測位システム）機能を用いることが可能となっている。
【００３３】
その他、筐体２００と筐体２０１とを接続するヒンジ部３００の間のほぼ中央には、筐体２００と２０１とは別に回動可能な撮像カメラ１０９を配設しており、この撮像カメラ１０９により動画および静止画の撮像を行う。
【００３４】
以上説明した本実施例の携帯電話では、サブ操作キー１０７をサブ表示部１０４とともに背面に形成することにより閉じた状態での使い勝手を向上させるものであり、特にカメラ操作等を含めた使い勝手を向上させることができる。
【００３５】
ここで閉じた状態における操作性、特にカメラ撮影における操作性を向上させるために設けられたサブ操作キー１０７に関して詳述する。
【００３６】
我々は、まず、携帯端末を閉じた状態でカメラ撮影するにあたって、カメラ撮影機能のうちのどの機能を専用キー化するかについて検討し、カメラ機能を起動する起動キー、画像情報の撮像開始を指示するシャッターキー、撮像する画像情報の大きさを調整するズーム調整キー及び動画又は静止画モードのモードを選択するモード選択キーを少なくとも専用キー化することとした。なお、起動キーとモード選択キーは、必ずしも必要ではないが、これらを専用キー化することで携帯端末を開けることなく、折り畳まれた状態のままでカメラモードとすることが可能となり、すばやくカメラ撮影したいときなどに有効となる。
【００３７】
次に、これらのキーの配置について検討した。いずれのキーも折り畳まれた状態において使用可能であれば良いのであるが、単にそれらを配置しただけでは十分な操作性や使い勝手は確保できない。
【００３８】
一方、我々は、閉じた状態においては、背面に形成されたサブ表示部１０４をファインダーとして利用しながら、かつ携帯電話を保持した状態で親指でキーを押圧するようにして操作することが、カメラ撮影する上で安定し使い勝手も十分に確保できるものと考えており、その点からすると上記の専用キーを背面に配置することが望ましいこととなる。
【００３９】
しかしながら、携帯電話は通常小型であり、かつ背面にサブ表示部１０４を設けていることもあって、その領域は限定されており、上記の４つのキーを全て配置してしまうと、キーとキーとの間が近接したり、キー自体の大きさが制限され、誤操作しやすくなってしまう。例えば、シャッターキーを押下しようとして、誤って起動キーやモード選択キーを押下してしまい、その結果、初期のカメラ撮影状態に戻ったり、静止画モードから動画モードへ切り替わったりして、所望の画像を撮影できなくなってしまう。
【００４０】
したがって、我々は、本実施例の携帯電話がカメラ機能設定キーと撮影時操作キーとを同一面に混在させることなく配置する構成とした。ここで、カメラ機能設定キーとは、起動キーやモード選択キー等の撮影前のカメラ機能の設定を行う操作キーのことであり、撮影時操作キーとは、ズームキーやシャッターキー等のカメラ機能が起動された後もしくは動画もしくは静止画の撮像モードが選択できる場合にはモード選択された後撮影終了までにカメラ操作を行うための操作キーのことである。
【００４１】
さらに我々は、カメラ機能設定キーは基本的には最初に一度使うだけで十分なキーであり、撮影時操作キーは撮影中に何度も取り扱うキーであることを踏まえて、撮影操作キーを背面に形成し、カメラ機能設定キーを側面に形成することとした。撮影操作キーを背面に形成した理由は、前述のとおり、背面に形成されたサブ表示部１０４をファインダーとして利用する際の操作性が良いからであり、かつ携帯電話を保持した状態で安定して親指でキーを押圧（操作）できるからである。また、カメラ機能設定キーを側面に形成したのは、ズームキーやシャッターキーを操作する際に親指により誤操作することを防止するためである。
【００４２】
なお、仮に、筐体２００又は筐体２０１の側面に撮影時操作キーを配置させると、右手で筐体を把持した場合と左手で筐体を把持した場合とで撮影時操作キーを操作する指が異なるので（例えば右手では親指、左手では人差指）、筐体２００又は筐体２０１の背面に設けた方が、右手で筐体を把持した場合と左手で筐体を把持した場合とで同様の操作、すなわち、いずれの場合も親指で操作できるので使い勝手が良い。
【００４３】
撮影時操作キーは、予め割り当てられた機能のみを行う。専用キーとして背面に形成しても良いが、カメラ操作時に必要となる一連の操作を考慮して、サブ表示画面にキー機能を表示させて、その表示に対応するキーを選択することで表示された機能を実行するようなソフトウエアを用いる構成とし、画面を遷移させながら所望の撮影を完了させる構成とした。これにより、背面に形成したキーを単に一つの機能のものに占有させないので、カメラ操作時以外の通常の待ち受け状態においても、そのキーにより他の機能を実現することもできる。その詳細な実施例については後述する。
【００４４】
以上のように、撮影時操作キーは、例えば、図１（４）のサブ操作キー１０７ａ及び１０７ｂのように筐体２００の背面に配置し、カメラ機能設定キー（図１（４）ではモード選択キー１０５）を撮影時操作キーと混在しない筐体２０１の側面に配置することにより、カメラ機能設定キーを撮影時操作キーと間違えて押下するといった誤操作を防止できるとともに、手のひらで支えて筐体を安定させながら五指の中で一番圧力をかけやすい親指で簡単に操作できる上、ぶれが少なくカメラ撮影でき使い勝手も向上する。
なお、撮影時操作キーは、カメラ機能を起動し、動画もしくは静止画モード等の撮像モードが選択された後撮影終了までに使用されるキーであり、シャッターキーのほか、例えば、ピントを調整するピント調整キー、シャッタースピードを調整するシャッタースピード調整キー、画像情報の明度を調整するためのブライト調整キー、あるいはカメラ撮影中の表示画面を遷移させる遷移キー等でも構わない。
【００４５】
また、カメラ機能を起動し、動画もしくは静止画モード等の撮像モードが選択された後撮影が終了するまで、起動キーやモード選択キー等のカメラ機能設定キーの入力を受け付けるように構成した場合であっても、このような起動キーやモード選択キー等のキーは本明細書における撮影時操作キーには含まれないものとする。
【００４６】
また、起動キーもしくはモード選択キー等のカメラ機能設定キーは、シャッターキー等の撮影時操作キーと混在することなく配置すればよいため、例えば、携帯電話の前面に配置された操作キーを用いてカメラ機能を起動あるいは動画又は静止画モードの切り換えを行わせ、背面に配置されたサブ操作キー１０７（撮影時操作キー）を用いて撮影するように構成しても構わない。
【００４７】
ところで、本実施例においては、図１（４）に示すように、サブ操作キー１０７をヒンジ部３００を基準としてサブ表示部１０４よりも下側に配置し、その位置関係で使用するように構成した。すなわち、サブ操作キー１０７とヒンジ部３００との間にサブ表示部１０４を配置させて構成した。また、本実施例では、図１（１）においては被写体の下側がヒンジ部側となるように表示され、図１（４）においては被写体の上側がヒンジ部側となるように表示される。
【００４８】
一般に、開いた状態におけるメイン表示部１０３とメイン操作キー１０６とは、図１（１）に示すように、メイン表示部１０３の下側にメイン操作キー１０６が配置され、その位置関係で使用されるため、閉じた状態でのサブ表示部１０４をサブ操作キー１０７との位置関係を上記構成とすることで、例えば、開いた状態で所定の入力等を行った後に閉じた状態でカメラ撮影する場合や、閉じた状態でカメラ撮影した後に開いた状態で所定の入力等を行う場合などにおいて、筐体２０１を持ちかえることなく（筐体２０１の上下を反転させることなく）操作することが可能となり、その操作性が向上する。
【００４９】
なお、公知文献１のように、同一筐体内においてのメイン表示部の下部に操作キーを配置した構成があるが、この場合は保持した下側筐体を上方にずらして操作する必要があるばかりか、下側筐体を保持したまま操作するとヒンジ部をまたいだ操作となりキー押下も不安定となる。また、ヒンジ部にカメラがある場合、キーを操作する際にカメラが指や手で遮られ、本実施例で言う筐体２０１を持ちかえることなく（筐体２０１の上下を反転させることなく）、安定したカメラ撮影等の操作を行うものではない。
【００５０】
次に、サブ操作キー１０７の形状について図１３を用いて説明する。
図１３（２）は、操作キー１０７の拡大図であり、図１３（３）は、筐体２００を、ヒンジ部３００に平行な面で切断した断面図例である。
【００５１】
ここでは、図１３（２）のように、サブ操作キー１０７は筐体２００の背面より突起しないように、サブ操作キー１０７の押下面を配置する。これにより、例えば、携帯電話をズボン、上着もしくは鞄等に入れておいた場合に誤ってサブ操作キー１０７が押下されるといった誤操作を防止することができる。
【００５２】
また、図１３（３）に示すように、操作キー１０７の押下面がユーザにより押下され、キースイッチが基板に接触することで、入力信号がＣＰＵ１１０に入力され、所望の選択操作などを行うように構成されている。ここで、サブ操作キー１０７の押下面とは、ユーザが操作キーを押下する場合に触れる面のことを意味する。
【００５３】
また、上述したように、サブ操作キー１０７を背面に配置すると誤操作する恐れがあるため、サブ操作キー１０７をキーロック可能に構成してその入力を無効にするように構成することが好ましい。この場合、ＣＰＵ１１０は、専用キー又は設定画面等を介して入力されたサブ操作キー有効信号又はサブ操作キー無効信号に基づいてサブ操作キー１０７の入力を有効又は無効にするように処理すれば良い。
【００５４】
同様に、本実施例の携帯電話では、折り畳んだ状態でのカメラ撮影をサブ操作キー１０７を介して行えるように構成されていると共に、開いた状態でのカメラ撮影をメイン操作キー１０６を介して行うこともできる。従って、開いた状態においてはサブ操作キー１０７の入力を受け付けないように構成することが使い勝手を向上させる上で有効となる。この場合、折畳検出部１０８にて折り畳み状態を検知し、開いた状態を検知した場合にサブ操作キー１０７の入力を受け付け入ないように構成する。同時にサブ表示部１０４の表示をＯＦＦさせるように構成しても良い。
【００５５】
一方、開いた状態においてもサブ表示部１０４を表示させることも可能であるが、この場合、閉じた状態で表示された被写体の上下方向を反転させて表示させてメイン表示部１０３とサブ表示部１０４との被写体の上下関係を同じにすることが好ましい。この場合も、折畳検出部１０８にて折り畳み状態を検知し、サブ表示部１０４に表示する被写体の上下関係を開いた状態と閉じた状態とで異ならせることとなる。
【００５６】
次に、これまで説明してきたサブ操作キー１０７を用いて閉じた状態でのカメラ撮像について説明する。図３は、そのフローチャートであり、図５は、サブ表示部１０４に表示される表示画面例である。
【００５７】
なお、ここでは、図１（２）（４）に示すように筐体２００の背面にはサブ操作キー１０７が２個（１０７ａ、１０７ｂ）あるものとし、例えば、図５（２）のような表示画面においては、１０７ａが画面左下の「ズーム」、１０７ｂが画面右下の「録画」の役割を果たすように構成している。すなわち、サブ表示部１０４内の右下側と左下側に表示された機能に対して、２個（左右）のサブ操作キー１０７を対応させ、右側のサブ表示キー１０７を押下することでサブ表示部１０４内の右下側に表示された機能を実現するように構成している。
【００５８】
まず、ＣＰＵ１１０は、折畳検出部１０８により検出された開閉状態情報を揮発メモリ１０２ａに、例えば、開いた状態では「０」、閉じた状態では「１」というように記憶する。そして、ＣＰＵ１１０は、揮発メモリ１０２ａに記憶された開閉状態情報を参照し、開いた状態の場合は所定の表示画面をメイン表示部１０３に表示させるように制御し、閉じた状態の場合は所定の表示画面をサブ表示部１０４に表示するように制御する。
【００５９】
本実施例では、閉じた状態であることが検出され、サブ表示部１０４に待ち受け画面が表示される（Ｓ３００、図５（１））。
最初に、モード選択キー１０５により動画モードを選択した場合における処理について説明する。
【００６０】
例えば、モード選択キー１０５を上にスライドさせると、カメラモード起動信号及び動画モード信号がＣＰＵ１１０に入力され、ＣＰＵ１１０はカメラ１０９を起動するとともに（Ｓ３０２）、揮発メモリ１０２ａに記憶された開閉状態情報を参照し（Ｓ３０３）、サブ表示部１０４にカメラ１０９により撮像された画像情報をＣＰＵ１１０を介して表示し、動画モニターを開始する（Ｓ３０４、図５（２））。この際、サブ表示画面には、モニターされた動画の他、実施可能な機能として、ズームと録画とを表示する。
【００６１】
なお、ここでは、カメラモード起動と動画モードの選択とを一つの操作で行わせたが，これに限定するものではなく、カメラモード起動する操作と動画モードを選択する操作を別々に行わせるようにしても構わない。
【００６２】
次に、ユーザは、サブ表示部１０４に表示された画像情報の大きさの倍率を調整する（ズーム調整）かどうかを選択する（Ｓ３０５）。ズーム調整を行う場合は、例えば、図５（２）の画面において「ズーム」の役割を割り当てられたサブ操作キー１０７ａを押下し、サブ操作キー１０７ａから入力されたサブ操作キーＩＤ情報信号を基にＣＰＵ１１０は、カメラ１０９のレジスタ（図示しない）に記憶された電子ズーム倍率の設定値を変更する。次に、ＣＰＵ１１０は、ズーム調整の調整レベルをカウントし（Ｓ３１３）、そのレベルに基づいて画像情報の拡大表示を行う（Ｓ３０４）。すなわち、電子ズーム倍率の設定値が変更された場合、その倍率により撮像された画像情報が、ＣＰＵ１１０を介してサブ表示部１０４に表示される（ズーム調整方法１）。
【００６３】
また、このとき、ＣＰＵ１１０はサブ表示部１０４にズーム調整レベルを、例えば、図５（１０）のように、「ｘ２」というように表示し、ユーザにズーム調整レベルを通知する。
【００６４】
また、本実施例では、サブ操作キー１０７ａの押下を繰り返すことにより段階的にズーム調整を行う構成とし、例えば、ズーム調整の段階を３段階とした場合、サブ操作キー１０７ａを押下する度に、レベル１→レベル２→レベル３→レベル１→レベル２・・・と、最上レベル（レベル３）の次は通常レベル（レベル１）に戻るようにＣＰＵ１１０は処理する。
【００６５】
なお、段階的ではなく、サブ操作キー１０７ａを長押しすることにより連続的にズーム調整を行うようにしても構わない。
【００６６】
次に、ズーム調整を行わない場合もしくはズーム調整を終えて動画撮影を開始する場合は、例えば、図５（２）の画面において「録画」の役割を割り当てられたサブ操作キー１０７ｂを押下し、動画撮影を開始する（Ｓ３０６）。
【００６７】
この場合、ＣＰＵ１１０は、サブ操作キー１０７ｂから入力されたサブ操作キーＩＤ情報信号を元に、カメラ１０９により撮像された画像情報を動画作成用映像データとして圧縮し、圧縮されたデータを揮発メモリ１０２ａに記憶するとともに、撮像カメラ１０９により撮像された画像情報をサブ表示部１０４に表示する（Ｓ３０７、図５（３））。また、ＣＰＵ１１０は、マイク１１１を起動し、マイク１１１からＣＰＵ１１０に出力される音声データを動画作成用音声データとして圧縮し、圧縮されたデータを揮発メモリ１０２ａに記憶する。この際、動画撮影を行っている間、ユーザにモニター動画撮影中であることを通知するために、ＣＰＵ１１０は、例えば、図５（３）のように、「ＲＥＣ」という文字でサブ表示部１０４に表示したり、録画設定時間に対する現在の録画時間の経過状態を数字などで表示する。これにより、ユーザは動画撮影中であることや残り録画時間がどれくらいであるかを認識することができ、使い勝手が良い。
【００６８】
また、動画撮影中であることが分かりさえすれば、通知する形態は上記に限定するものではなく、棒グラフやアイコン等を利用しても構わない（図５（１１））。これにより、直感的に動画撮影中であることや残り録画時間がどれくらいであるかを認識することができる。
【００６９】
一方、ＣＰＵ１１０は、動画撮影が開始されると、揮発メモリ１０２ａに記憶された録画設定時間情報を参照し、参照した録画設定時間を設定値としてＣＰＵ１１０内部に有するタイマー機能を開始する。タイマー機能によりカウントされた時間が録画設定時間を経過した場合（Ｓ３０８）、もしくは、ユーザが、例えば、図５（３）の画面において「停止」の役割を割り当てられたサブ操作キー１０７ｂを押下する等の操作を行った場合（Ｓ３０９）は、ＣＰＵ１１０は、動画作成用映像データと動画作成用音声データの圧縮を停止するとともにカメラ１０９とマイク１１１とを停止し、圧縮された動画作成用映像データと動画作成用音声データを結合することによりＭＰＥＧ４形式のファイルを作成し、揮発メモリ１０２ａに記憶する。この処理を行っている間、ＣＰＵ１１０は、例えば、図５（４）のような画面を用いて、ユーザに故障等の心配を与えないために「処理中」であることを通知する。
【００７０】
さらに、ＣＰＵ１１０は、揮発メモリ１０２ａに記憶した動画データから先頭１フレームの情報を参照するとともに、参照した先頭１フレームの情報のデコード処理を行い、デコードされた画像情報（１フレーム目）をサブ表示部１０４に表示する（Ｓ３１０）。
【００７１】
そして、ユーザは、この１フレーム目の画像情報を参照して、今まで揮発メモリ１０２ａに記憶されていた動画情報を不揮発メモリ１０２ｂに記憶するか否かを選択できる（Ｓ３１１）。
【００７２】
揮発メモリ１０２ａに記憶された動画を不揮発メモリ１０２ｂに記憶する場合は、例えば、図５（２）の画面において「記憶」の役割を割り当てられたサブ操作キー１０７ｂを押下すると、ＣＰＵ１１０は、入力されたサブ操作キーＩＤ情報信号に基づいて揮発メモリ１０２ａに記憶したＭＰＥＧ４形式のファイルを不揮発メモリ１０２ｂに記憶する（Ｓ３１２）。その後、「確認」の役割を割り当てられたサブ操作キー１０７ｂを押下すると、ＣＰＵ１１０は、動画モニターを再開する（図５（６））。
【００７３】
一方、例えば、図５（５）の画面において「戻る」の役割を割り当てられたサブ操作キー１０７ｂを押下すると、ＣＰＵ１１０は、サブ表示部１０４に撮像カメラ１０９により撮像された画像情報を表示し、動画モニターを再開する（Ｓ３０４、図５（２））。
【００７４】
一方、揮発メモリ１０２ａに記憶された動画を不揮発メモリ１０２ｂに記憶せずに、再度動画モニター表示へ戻る場合は、例えば、図５（５）の画面において「戻る」の役割を割り当てられたサブ操作キー１０７ａを押下すると、動画撮影データ削除信号がＣＰＵ１１０に入力され、ＣＰＵ１１０は、Ｓ３０７の動画撮影開始から揮発メモリ１０２ａに記憶された画像データを削除するとともに、サブ表示部１０４に撮像カメラ１０９により撮像された画像情報を表示し、動画モニターを再開する（Ｓ３０４、図５（２））。
【００７５】
なお、動画撮影を終了する場合は、モード選択キー１０５を再度上側にスライドさせることで終了する。すなわち、ＣＰＵ１１０はモード選択キー１０５からの信号に基づき、図５（１）に示す待ち受け画面をサブ表示部１０４に表示させる。
【００７６】
また、ＣＰＵ１１０は、例えば、図５（３）の画面左下に「戻る」の項目を表示させ、上記憶画設定時間以内で「停止」操作がない場合に、「戻る」役割を割り当てられたサブ操作キー１０７ａが押下されると、ＣＰＵ１１０は、動画作成用映像データと動画作成用音声データの圧縮を停止するとともに、マイク１１１を停止するように構成しても良い。
【００７７】
これにより、誤って動画撮影を開始してしまった場合や動画撮影を開始したものの思い直して動画撮影を中止したい場合において、即座に動画撮影のモニター状態へ戻ることができるため、ＣＰＵ１１０の処理を効率化できるとともに、使い勝手が向上する。
【００７８】
また、ズーム調整を行う方法は上記方法に限定されるものではなく、例えば、撮像カメラ１０９の撮像画像サイズの設定値を変更し、設定値変更後のカメラ１０９により撮影された画像情報から変更前の画像サイズの大きさで取り出すようにしてもよい。
【００７９】
次に、モード選択キー１０５により静止画モードを選択した場合における処理について説明する。なお、Ｓ３０１からＳ３０３は動画モードと同様のため、その説明は省略する。但し、モード選択キー１０５を静止画モードの割当てられている下側にスライドさせる点は異なる。
【００８０】
静止画モニターを開始すると（Ｓ３１４、図５（７）、ユーザはサブ表示部１０４に表示された画像情報の大きさの倍率を調整する（ズーム調整）かどうかを選択する（Ｓ３１５）。なお、ズーム調整を行う場合の動作（Ｓ３１５、Ｓ３２１）は動画モードと同様であるため、説明は省略する。
【００８１】
次に、ズーム調整を行わない場合もしくはズーム調整を終えて静止画撮影を行う場合は、例えば、図５（７）の画面において「撮影」の役割を割り当てられたサブ操作キー１０７ｂを押下し、静止画撮影を行う（Ｓ３１６）。この場合、ＣＰＵ１１０は、サブ操作キー１０７ｂから入力されたサブ操作キーＩＤ情報信号を基に、カメラ１０９により撮像された画像情報を動画作成用映像データとして圧縮し、圧縮されたデータを揮発メモリ１０２ａに、例えば、ＹＵＶ（４：２：２）のような形式のデータとして揮発メモリ１０２ａに記憶し、カメラ１０９の撮像を停止するとともに（Ｓ３１７）、揮発メモリ１０２ａに記憶された画像情報をサブ表示部１０４に表示する（Ｓ３１８、図５（８））。
【００８２】
その後、ユーザは、揮発メモリ１０２ａに記憶された静止画を不揮発メモリ１０２ｂに記憶するか否かを選択する（Ｓ３１９、図５（８））。
【００８３】
サブ表示部１０４に撮影した画像情報を表示した状態で、揮発メモリ１０２ａに記憶された静止画を不揮発メモリ１０２ｂに記憶する場合は、例えば、図５（８）の画面において「記憶」の役割を割り当てられたサブ操作キー１０７ｂを押下する（Ｓ３１９）。これにより、サブ操作キー１０７ｂから入力されたサブ操作キーＩＤ情報信号に基づいて、ＣＰＵ１１０は、揮発メモリ１０２ａに記憶したＹＵＶ（４：２：２）形式のデータを、例えば、ＪＰＥＧ方式で圧縮するとともに、不揮発メモリ１０２ｂに記憶する（Ｓ３２０、図５（９））。
【００８４】
また、サブ表示部１０４に撮影した画像情報を表示した状態（図５（８））で、静止画モニター表示（図５（７））へ戻る場合は、例えば、図５（８）の画面において「戻る」の役割を割り当てられたサブ操作キー１０７ａが押下されると（Ｓ３１６）、ＣＰＵ１１０は、撮像カメラ１０９の撮像を再開させるとともに撮像カメラ１０９により撮像された画像情報をＣＰＵ１１０を介してサブ表示部１０４に表示し、静止画モニターを再開する（Ｓ３１４）。
【００８５】
また、静止画撮影を終了する場合は、モード選択キー１０５を再度下側にスライドさせることで終了する。すなわち、ＣＰＵ１１０はモード選択キー１０５からの信号に基づき、図５（１）に示す待ち受け画面をサブ表示部１０４に表示させる。
【００８６】
以上により、携帯電話をわざわざ開けることなく、動画もしくは静止画モードを起動させ、背面に配置されたサブ操作キー１０７ａ及び１０７ｂを利用することで撮影をすることができるため、使い勝手が向上する。
【００８７】
また、ユーザは、撮像カメラ１０９により撮像された画像情報を不揮発メモリ１０２ｂに記憶する前にサブ表示部１０４に表示し、その後に不揮発メモリ１０２ｂに記憶するか否かを選択できるため、ユーザが真に記憶しておきたい画像のみを不揮発メモリ１０２ｂに記憶することができ、使い勝手がよい。
【００８８】
更に、撮影に失敗した画像情報や誤って撮影された画像情報の不揮発メモリ１０２ｂへの記憶を行わずに済むので、限られた記憶容量を効率的に利用できる。
【００８９】
なお、撮影された動画もしくは静止画の画像情報は、例えば、図４のようなフォーマットでメモリ１０２に記憶される（Ｓ３１２、Ｓ３２０）。記憶フォーマットとして、例えば、撮像した画像情報の番号を表す「画像番号」、画像データの名前を表す「画像データ名」、ＪＰＧやＭＰＥＧ等のデータ形式を表す「データ形式」、データの容量を表す「データ量」、撮像日時を表す「撮像日時」、ＧＰＳ等の付加情報を表す「ＧＰＳ付加情報」、撮影した画像データをメールで添付してよいかどうかを表す「著作権情報−メール添付可否」、撮影した画像データを他の情報処理端末、例えば、ＰＣ、ＰＤＡ、携帯電話等にシリアル転送させてもよいかどうかを表す「著作権情報−シリアル転送可否」、撮影した画像データの再生可能回数（もしくは時間）を表す「著作権情報−再生可能回数（もしくは再生可能時間）」等の項目ごとに関連付けられて記憶される。このように記憶させれば、撮影した画像データを利用する際に都合がよい。
【００９０】
ところで、上述したサブ操作キー１０７は、ＣＰＵ１１０により制御され、同じキーが押下されても、異なった状況では異なった入力信号として扱ってもよい。
【００９１】
例えば、サブ操作キー１０７は、通常の待受状態の場合において、例えば、図１４に示すようにサブ表示部１０４の画面の切り換えのために用いられる。以下、図１４を用いて説明する。
【００９２】
図１４（１）は、「マナーモード」等のモードの設定情報が表示された画面例であり、図１４（２）は、現在の時刻情報が拡大表示された画面例であり、
図１４（３）は、電話やメール等の新着情報を表示した画面例である。
【００９３】
図１４（１）〜（３）の各画面において、サブ操作キー１０７ａは「戻る」キーとして機能し、サブ操作キー１０７ｂは「次へ」キーとして機能する。
【００９４】
「次へ」キー１０７ｂが押下されると、画面遷移信号がＣＰＵ１１０に入力信号として入力され、画面遷移信号を受信したＣＰＵ１１０は、サブ表示部１０４の表示画面を次の画面に切り換える。この操作を繰り返すことで、図１４（１）→図１４（２）→図１４（３）→図１４（１）→・・・といったよう画面が遷移する。
【００９５】
一方、「戻る」キー１０７ａが押下されると、画面戻り信号がＣＰＵ１１０に入力信号として入力され、画面戻り信号を受信したＣＰＵ１１０は、サブ表示部１０４の表示画面を前の画面に切り換える。この操作を繰り返すことで、図１４（１）→図１４（３）→図１４（２）→図１４（１）→・・・と画面が遷移する。
【００９６】
これに対して、撮像カメラ１０９により撮影を行うカメラモードの場合、サブ操作キー１０７ａは、ＣＰＵ１１０によりカメラ撮影に関する操作キー、例えば、シャッターキーとして割り当てられ、サブ操作キー１０７ａが押下されると、シャッター信号がＣＰＵ１１０に入力信号として入力される。
【００９７】
なお、図１４（３）において、新着情報がない場合は、件数を「０件」として表示させるほか、図１４（３）の画面自体を表示させないようにしてもよい。この場合は、図１４（２）において、「次へ」キー１０７ｂが押下されると、図１４（１）に遷移し、また、図１４（１）において「戻る」キー１０７ａが押下されると、図１４（２）に遷移するようにＣＰＵ１１０により制御される。
【００９８】
これにより、新着情報がない場合に新着情報に関する画面自体を表示させないようにしたことで、ユーザは、画面の遷移状態で感覚的に新着情報の有無を確認できるため使い勝手がよい。
【００９９】
以上のように、サブ操作キー１０７は場合に応じて入力信号の役割を変え、１つの操作キーで複数の役割を果たすことができるため、携帯電話のような小型の端末においては、スペースを有効利用できるとともに回路規模の低減に貢献する。
【０１００】
更に、例えば、サブ表示部１０４を利用してゲームをする場合やｍｐ３等の楽曲ファイル等の楽曲に関する情報をサブ表示部１０４に表示する場合には、それらの操作キーとしても利用することもできる。
【０１０１】
なお、上記実施例においては、閉じた状態においてカメラ撮影を完了する場合に説明したが、次に、その操作の途中で携帯電話が開いた状態となっても、継続してカメラ撮影可能な構成について説明する。
【０１０２】
この場合、ＣＰＵ１１０は、折畳検出部１０８により検出された開閉状態情報を参照して開いた状態になったことを認識すれば、これまでサブ操作キー１０７により行われたカメラ操作の状態（使用中の表示画面とズーム調整レベルなど）をいったん保持し、保持された表示画面に予め対応付けられた表示画面をメイン表示部１０３に表示する（例えば、図５（１２））。
【０１０３】
ここで、不揮発メモリ１０２ｂには、サブ表示部１０４に表示される各ステップごとの表示画面（例えば、図５（１）〜（９））とメイン表示部１０３に出力される各ステップごとの表示画面とが対応付けられて記憶されている。なお、図示はしていないが、ＣＰＵ１１０は、開いた状態でメイン表示部１０３に表示される表示画面として図５（１）〜（９）に相当する画面を出力するように構成されている。この場合、サブ表示部１０４に表示する表示画面の数とをメイン表示部１０３に表示する表示画面の数とを同じにすることが望ましい。
【０１０４】
図５（１２）は、図５（７）とそれに対応付けられた表示画面例であり、携帯電話を開いた状態ではメイン操作キー１０６が利用できるため、「ズーム」「撮影」のほかに「露光」の調整に関しても操作キーを割り当て、また、メイン表示部の面積の大きさを考慮して、充電池残量や時刻等も表示するようにした。また、サブ表示部１０４とメイン表示部１０３との画面サイズの相違を考慮して、カメラで撮影された画像情報は、その画面サイズに合わせた大きさで表示されるように処理される。
【０１０５】
これにより、カメラ撮影機能を起動中に閉じた状態から開いた状態になったとしても、それぞれの状態に適した表示画面を介してカメラ撮影を続行することができ、使い勝手が向上する。開いた状態から閉じた状態になった場合についても同様である。
【０１０６】
なお、対応付けされた表示画面は、図５（１２）に示されたような表示画面に限定されるのではなく、例えば、サブ表示部１０４とメイン表示部１０３に表示される表示画面を同様な画面、キー割り当てになるよう構成しても構わない。このようにすれば、開いた状態から閉じた状態へ移行しても同様の操作でカメラ操作を続行できるというメリットがある。
【０１０７】
また、ここでは、対応付けられた表示画面を検索しやすいように、例えば、図５（７）のような画面には「ｓｕｂ０７」、それに対応したメイン表示部に表示される表示画面には「ｍａｉｎ０７」、と各表示画面データには検索情報が付加される。この検索情報に基づいて、ＣＰＵ１１０は、出力する画面を検索し、それぞれの表示部に出力する。これにより、対応付けられた表示画面の検索効率を高めることができる。この場合、その検索情報を利用してサブ表示部１０４に表示される表示形態とメイン表示部１０３に表示される表示形態とを対応付けて不揮発メモリ１０２ｂに記憶する。
【０１０８】
以上は、カメラ撮影におけるメインからサブへの表示画面の切換について説明したが、カメラ撮影に限らず、所定の表示画面に映像を出力するものであれば適用可能である。
【０１０９】
ところで、図１（２）（４）等に示すように、撮影時操作キーを割り当てるサブ操作キーの数を２個としているのは、筐体２００の背面の面積は限られており、３個以上になるとキー間隔が狭くなり、誤って隣接するキーを押下してしまうなどの誤操作を招く恐れがあるためである。
【０１１０】
したがって、例えば、２個はキー形式のキー、１個はスライド形式のキーといったようにキーの形態を変えたり（図１２（１））、それぞれのキー間隔を大きく設けたり（図１２（２））して誤操作の恐れを防止するように構成すれば、例えば、筐体２００の背面にシャッターキーやズーム調整キー等の撮影時操作キーを３個以上設けても構わない。
【０１１１】
また、ここで、図１２（２）のように背面に３個の構成にした場合は、メイン操作キー１０６ａ、１０６ｂ、１０６ｃに関する回路をそのまま背面のサブ操作キー１０７ａ、１０７ｂ、１０７ｃに利用することが出来、製造コストの低減化に貢献する。
【０１１２】
また、サブ操作キー１０７が２個の場合、配置される２個のサブ操作キー１０７ａ及び１０７ｂが上下に２個配置されると、親指で上の操作キーを押すとともに下の操作キーを押下してしまう恐れがあるなど使い勝手が悪いため、図１（２）（４）等に示されるように左右に配置するか、例えば、図１２（２）のように斜め方向にずらして配置した方がより好適である。
【０１１３】
また、例えば、サブ操作キー１０７ａと１０７ｂと、メイン操作キー１０６ａと１０６ｂとのカメラ操作時における機能を同じにして、開いた状態の操作と閉じた状態の操作を同じように構成することが好ましい。すなわち、図３及び図５で示した処理操作と同様のものを、開いた状態においてメイン操作キー１０６ａと１０６ｂとを用いて実現できるように構成することが好ましい。これにより、開いた状態と閉じた状態でわざわざ操作を変える必要がなくなり、ユーザの使い勝手が向上する。
【０１１４】
更に、本実施例においては、サブ操作キー１０７ａ及び１０７ｂとの間に音孔を設けたが、これによりユーザは音孔の位置を触感で容易に分かり、それを基に両キーの位置関係が明確となるため、わざわざキーの位置を確認することなく感覚的に操作することができる。また、これにより、サブ操作キー１０７ａと１０７ｂとの間隔がとれ、押し間違い等の誤操作を防止することができる。
【０１１５】
なお、ここでは、サブ操作キー１０７ａと１０７ｂとの間に楽曲スピーカの音孔を設けたが、これに限定するものではなく、両キーの位置関係を明確にすることができれば、凸状の突起物やもしくは凹状の溝等を設けたりしてもよい。
ところで、本実施例においては、起動キーを兼用したモード選択キー１０５をスライド形式のキーを筐体２０１の側面に形成したが、モード選択のために操作キーをスライドさせるにはある程度の力が必要となるので、ユーザの誤操作を防止できる構成となっている。特に、筐体を保持したときにモード選択キー１０５を押圧したとしても動作しない点で使い勝手がよい。
【０１１６】
また、モード選択キー１０５を筐体２００の側面に配置し、閉じた状態で上にスライドさせると動画モード、下にスライドさせると静止画モードと移行する場合を想定すると、携帯電話を開いた状態で上にスライドさせると、閉じた状態では動画モードに移行したのが、ここでは、静止画モードに移行してしまう。
【０１１７】
したがって、図１に示す如く、モード選択キー１０５をスライド形式にして筐体２０１の側面に配置させると、携帯電話の開閉状態に係らず同じスライド操作で同じモード選択を実現でき、使い勝手が良い。
【０１１８】
次に、カメラ撮像時のメイン表示部１０３及びサブ表示部１０４の処理について説明する。
【０１１９】
まず、携帯電話が開いた状態において説明する。撮像カメラ１０９のレンズをユーザの方に向けた場合、このときユーザ自身の撮像画像を，メイン表示部１０３に鏡像で表示しないと、例えば、ユーザが右に動いた場合に画面上では、ユーザは左に動いたように表示され、撮影しづらいという問題がある。そのため、ＣＰＵ１１０は、携帯電話が開いた状態であることを折畳検出部１０８により検出するとともに撮像カメラ１０９がユーザの方を向いていることを、例えば、センサやスイッチ等で検出し、画像の左右反転を行う。
【０１２０】
次に、携帯電話が開いた状態で撮像カメラ１０９のレンズをユーザと対向した被写体の方に向けた場合、この時撮像カメラ１０９は、図１（１）のＸ−Ｘ軸で略１８０度折り返しているので、メイン表示部１０３に表示される画像が上下逆転する。そこで、ＣＰＵ１１０は、折畳検出部１０８により携帯電話が開いた状態であることを検出するとともに撮像カメラ１０９が被写体の方に向いていることを、例えば、センサやスイッチ等で検出し、画像の上下反転を行う。また、この場合、撮像カメラ１０９により取り込まれた画像をサブ表示部１０４に表示することも可能であり、この際には、ＣＰＵ１１０は、携帯電話が開いた状態であることを折畳検出部１０８により検出するとともに撮像カメラ１０９がユーザの方を向いていることを、例えば、センサやスイッチ等で検出し、画像の左右反転を行い、サブ表示部１０４に表示する。
【０１２１】
次に、携帯電話が閉じた状態の説明をする。携帯電話が閉じた状態で、撮像カメラ１０９のレンズをユーザの方に向けた場合、この時，上述したようにサブ表示部１０４に表示される画像は鏡像であるべきなので、ＣＰＵ１１０は、携帯電話が閉じた状態であることを折畳検出部１０８により検出するとともに撮像カメラ１０９がユーザの方を向いていることを、例えば、センサやスイッチ等で検出し、画像の左右反転を行う。
【０１２２】
次に、携帯電話が閉じた状態で撮像カメラ１０９のレンズをユーザに対向する被写体の方に向けた場合は、上述したように、サブ表示部１０４に画像は上下反対に表示されるため、ＣＰＵ１１０は、携帯電話が開いた状態であることを折畳検出部１０８により検出するとともに撮像カメラ１０９が被写体の方に向いていることを、例えば、センサやスイッチ等で検出し、画像の上下反転を行う。
【０１２３】
以上により、携帯電話の開閉状態とそのときのカメラの向きを検出し、メイン表示部１０３もしくはサブ表示部１０４の表示形態を左右反転もしくは上下反転させることで、撮影時の使い勝手が向上する。
【０１２４】
また、開いた状態でカメラを被写体の方に向けた場合に、撮像モニタ画面をメイン表示部１０３のみならずサブ表示部１０４に表示させることにより、撮像される人（被写体）も自らの撮影状態を確認できるので、安心して撮影を受けることができる。
【０１２５】
更にまた、撮影後に携帯電話が閉じた状態のままサブ表示部１０４を用いて撮影した画像の確認もしくは削除等を行うように構成してもよい。
この場合、例えば、モード選択キー１０５で撮影画像を確認する閲覧モードに切り換えると、ＣＰＵ１１０は、サブ表示部１０４に撮影した画像を表示する。表示の形態としては、撮像した画像が確認できればよく、例えば、撮像した画像を履歴順に一枚毎表示したり、あるいは一覧表示したりしてもよい。その際に、ユーザが、サブ操作キー１０７を用いて削除したい画像を選択し、削除の指示を行えば、サブ操作キー１０７を介して画像削除指示信号はＣＰＵ１１０に入力され、ＣＰＵ１１０は、メモリ１０２に記憶された画像データを削除する処理を行う。
【０１２６】
また、サブ表示部１０４を用いて撮影された画像の編集等を行うようにしても良い。この場合は、モード選択キー１０５を押下して編集モードにすると、ＣＰＵ１１０は、例えば、白黒、セピア、フレーム等の編集機能を選択するための画面をサブ表示部１０４に表示する。ユーザはいずれかの編集機能をサブ操作キー１０７により選択すると、編集指示信号がＣＰＵ１１０に入力し、ＣＰＵ１１０は、編集指示信号に基づいて画像データを編集する。
【０１２７】
これにより、撮影後にわざわざ携帯電話を開けることなく、携帯電話が折り畳まれた状態のままで限られた数のサブ操作キーを使用することで撮像画像の確認や編集等を行うことができ、使い勝手が向上する。
【０１２８】
次に、携帯電話が閉じている状態で、上述したサブ操作キー１０７を利用して、静止画または動画を撮影した後に、撮影した静止画または動画を添付ファイルとしてメールを送信する場合における処理について説明する。以下、図６のフローチャート及び図７の表示画面例を用いて説明する。
【０１２９】
なお、図６のＳ６０１〜Ｓ６０５までは、図３のＳ３０４〜Ｓ３１２及びＳ３１４〜Ｓ３２０を簡略化したものであり、図７（１）及び（２）は、図５（７）及び（８）と同じなので、ここでは説明を省略する。
【０１３０】
さて、図７（３）において、サブ操作キー１０７ａは「戻る」キー、サブ操作キー１０７ｂは「メール」キーとして機能する。
【０１３１】
この「戻る」キー１０７ａからの信号がＣＰＵ１１０へ入力されると（Ｓ６０６）、ＣＰＵ１１０は、サブ表示部１０４に表示した表示を削除し、新たにサブ表示部１０４に、図７（２）に示すような撮影後の静止画または動画像（１フレーム目）の表示を行う。
【０１３２】
一方、図７（３）において、メールキー１０７ｂからの信号がＣＰＵ１１０へ入力されると（Ｓ６０６）、ＣＰＵ１１０は、Ｅ−ｍａｉｌモードを起動して（Ｓ６０７）、不揮発メモリ１０２ｂにメール編集用の領域を確保し、送信メールに添付するファイルとして不揮発メモリ１０２ｂに記憶された静止画または動画データを指定する。続いて、ＣＰＵ１１０は、不揮発メモリ１０２ｂに記憶されたアドレス帳データを参照し、例えば、図７（４）のように、友人、知人等の名前情報（「ＡＡＡ」、「ＢＢＢ」・・・）をサブ表示部１０４に表示する（Ｓ６０８）。ここで名前情報とは、友人や知人等を表すものであれば、本名ではなく、例えば、あだ名、暗号もしくは数字等であっても構わない。
【０１３３】
図７（４）において、サブ操作キー１０７ａは「決定」キーとして機能し、サブ操作キー１０７ｂは「スクロール」キーとして機能する。
【０１３４】
スクロールキー１０７ｂからの信号がＣＰＵ１１０へ入力されると、ＣＰＵ１１０は、サブ表示部１０４に表示される名前情報のリストからメール送信相手を選択するためのカーソル等をスクロールさせる。
【０１３５】
また、決定キー１０７ａからの信号がＣＰＵ１１０へ入力されると、ＣＰＵ１１０は、カーソル等で選択された人をメール送信先とするか否かをユーザに確認するため、例えば図７（５）のように、ユーザに送信の是非を選択させる表示をサブ表示部１０４に表示する（Ｓ６０９）。
【０１３６】
図７（５）においても、図７（４）と同様に、サブ操作キー１０７ａは「決定」キーとして機能し、サブ操作キー１０７ｂは「スクロール」キーとして機能する。
【０１３７】
スクロールキー１０７ｂによりカーソルを「Ｎｏ」の位置に移動させた状態で、決定キー１０７ａからの信号がＣＰＵ１１０へ入力されると、ＣＰＵ１１０は、図７（４）のメール送信先の相手先を選択する画面をサブ表示部１０４に表示する。この際、前回指定されたメール送信先の名前情報の位置にカーソルを持っていくように構成すれば、わざわざ名前情報リストの先頭から検索し直す必要がなくなり、使い勝手が向上する。
【０１３８】
一方、スクロールキー１０７ｂによりカーソルを「Ｙｅｓ」の位置に移動させた状態で、決定キー１０７ａからの信号がＣＰＵ１１０へ入力されると、ＣＰＵ１１０は、Ｓ６０８において選択された人の名前を検索キーとして、不揮発メモリ１０２ｂに記憶されたアドレス帳データを検索し、検索キーに対応するメールアドレスを参照し、不揮発メモリ１０２ｂに確保されたメール編集用のメールアドレス領域にコピーする。
【０１３９】
その後、ＣＰＵ１１０は、例えば、携帯電話網などとの通信網とリンクを確立してからメールサーバー（図示しない）に接続する。続いて、ＣＰＵ１１０は、不揮発メモリ１０２ｂにあるメール編集用領域のデータを通信部１０１へ出力し、通信部１０１は、先に確立した無線リンクを経由し、メールサーバーへメールデータを送信する（Ｓ６１０）。
【０１４０】
メールデータの送信が完了すると、ＣＰＵ１１０は、メールサーバーとの接続を終了し、確立した無線リンクを解放して通信を終了するとともに、例えば、図７（６）のように、ユーザにメールの送信が完了したことを通知する表示をサブ表示部１０４に表示する。
【０１４１】
図７（６）においては、サブ操作キー１０７ａは「終了」キーとして機能し、サブ操作キー１０７ｂは「宛先」キーとして機能し、ユーザは、先に指定した送信相手とは異なる相手にメールの送信を行うか、あるいはＥ−ｍａｉｌモードを終了するかを選択する（Ｓ６１１）。
【０１４２】
宛先キー１０７ｂが押下され、宛先キー１０７ｂからの信号がＣＰＵ１１０へ入力されると、ＣＰＵ１１０は、図７（４）のメール送信先の相手先を選択する画面をサブ表示部１０４に表示し（Ｓ６０８）、前述したＳ６０９からＳ６１１までの処理を行う。
【０１４３】
一方、終了キー１０７ｂが押下され、終了キー１０７ｂからの信号がＣＰＵ１１０へ入力されると、ＣＰＵ１１０は、Ｅ−ｍａｉｌモードの起動を終了させ（Ｓ６１２）、撮像カメラ１０９により取り込まれた静止画または動画モニターの表示を行う（Ｓ６０１）（図７（１））。
【０１４４】
以上により、携帯電話が閉じている状態で静止画または動画を撮影した後に、Ｅ−ｍａｉｌモードへ自動的に移行できる構成としたので、わざわざ携帯電話を開けることなく、撮影した静止画または動画を所望の相手に送信でき、使い勝手が向上する。
【０１４５】
また、携帯電話が閉じた状態において、文字や数字等の入力をさせることなく、送信相手先を選択させる操作のみで撮影した画像情報をメールに添付して送信するように構成したので、背面の限られた数の操作キー（サブ操作キー１０７）であっても簡単な操作で素早くメール送信できる。
【０１４６】
また、通常、携帯電話が開いている状態においては、比較的面積が大きなメイン表示部１０３や操作キーの豊富なメイン操作キー１０６を利用できるため、送信先、件名、文章（文字、絵文字、数字等）を入力するための表示画面を出力する。従って、本実施例においては、開いた状態においてはメイン表示部１０３に文字入力の可能な表示画面を用いたＥメール機能により画像情報を送信する構成とし、閉じた状態においてはサブ表示部１０４に文字入力のない表示画面を用いて画像情報を送信する構成とした。なお、開いた状態においても、図７のように、文字入力をさせない表示画面の遷移でもってメールを送信することも可能であり、この場合は、例えば、文字入力可能な「通常モード」、文字入力させない「簡易モード」といったようにモードを分けて、ユーザにモードを選択可能に構成すると、なお使い勝手がよい。
【０１４７】
また、上述した実施例では、閉じた状態での操作性、迅速性を考慮して文字や数字等の文章情報を入力させずに画像情報のみを送信する例を述べたが、場合によっては、画像情報とともに何か文章を送信したい状況もあり得る。この場合は、ユーザが所定の文章（題名、文章内容など）を作成し、その文章を予め登録させることで実現する。
【０１４８】
そして、Ｓ６０９においてメール送信先が決定された後、ＣＰＵ１１０は、予め不揮発メモリ１０２ｂに記憶された文章フォーマット（題名、文章内容など）を、不揮発メモリ１０２ｂに確保されたメール編集用領域にコピーしてメール編集を完了させ、選択された送信先に送信するように構成することで実現する（Ｓ６１０）。すなわち、予め登録された文章を選択された送信先に送信するように構成することで実現する。
【０１４９】
これにより、閉じた状態であっても、送信先のアドレスを指定する操作のみで予め登録されたフォーマットの文章を送信することができ、送信先に何らかの文章を送ることが可能となる。
【０１５０】
また、文章フォーマットを送信するか否か、あるいは複数の文章フォーマットの中から送信する文章フォーマットをユーザに選択させるようにしても構わない。
【０１５１】
この場合、ＣＰＵ１１０は、例えば、図７（５）の画面出力後に、図７（７）のような画面を出力し、ユーザは送信する文章のフォーマットを選択する。ここで「文章なし」を選択した場合は、ＣＰＵ１１０は、いずれの文章もメール編集用領域にコピーせず、画像情報のみを送信するように処理する。また、例えば、図７（８）のように、文章フォーマット「フォーマット１」を選択した場合、ＣＰＵ１１０は、選択された文章フォーマット（フォーマット１）の内容を表示する。
【０１５２】
次に、図７（８）で「戻る」キーとして機能するサブ操作キー１０７ａからの入力信号が入力されると、ＣＰＵ１１０は、図７（７）の画面に戻るように処理する。一方、図７（８）で「送信」キーとして機能するサブ操作キー１０７ｂからの入力信号が入力されると、選択された文章フォーマットを不揮発メモリ１０２ｂに確保されたメール編集用領域にコピーしてメール編集を完了させ、選択された送信先に送信する（Ｓ６１０、図７（６））。
【０１５３】
これにより、ユーザは、送信相手や撮像した画像情報に応じて文章フォーマットを選択でき、使い勝手がよい。
【０１５４】
また、メール送信前に文章の内容を表示するようにしたことで、ユーザは実際に送信される文章の内容を前もって確認でき、例えば、所望の文章フォーマットとは異なった内容の文章フォーマットを選択してしまうといった誤操作を防ぐことができる。また、題名が含まれているのであれば、その題名の一覧を表示させるように構成しても良い。
【０１５５】
なお、ここで、複数の文書フォーマットを、ユーザが予め不揮発メモリ１０２ｂに登録できるようにすれば、使い勝手がよいというのは言うまでもない。
【０１５６】
また、上記実施例は、撮像カメラ１０９により撮影された画像情報を閉じた状態のままで簡易にメールに添付して送信する場合を説明したが、これに限定されるものではなく、画像情報が添付されていないメールを送信するようにしてもよい。
【０１５７】
この場合は、例えば、図５（１）のような待受状態において、Ｅ−ｍａｉｌモードの起動処理を行えるように構成し、これ以後の処理は、前述したＳ６０７からＳ６１２（図７（４）〜（６））の処理を行うように構成すればよい。
【０１５８】
これにより、例えば、自分の乗っている電車が事故にあい、急いで会社や自宅に連絡する必要がある場合等においても、会社の上司や家族等に、例えば、「緊急事態のため遅れますので御了承下さい。後で連絡できる状態になれば改めて連絡致します」といった所定の内容のメールを、携帯電話が閉じた状態でかつ簡易な操作で送信して連絡をとることができるため、使い勝手がよい。
【０１５９】
一方、これまでの実施例では、閉じた状態でメール送信を完了させる例を述べたが、その操作の途中で携帯電話が開いた状態になることも想定される。
【０１６０】
そこで、閉じた状態でメールを送信する操作の途中で携帯電話が開いた状態になった場合に、再度閉じた状態へ戻るように警告を行う実施例について説明する。
【０１６１】
この場合、ＣＰＵ１１０は、メール操作中において折畳検出部１０８により検出された開閉状態情報を参照して開いた状態になったことを認識すれば、これまでサブ操作キー１０７により行われた操作をいったん保持し、メイン表示部１０３に、例えば、「メール作成中です。携帯電話を閉じて下さい」等の警告メッセージを表示する。その後、ＣＰＵ１１０は、折畳検出部１０８により検出された開閉状態情報を参照して閉じた状態になったことを認識すれば、携帯を開く直前にサブ表示部１０４に表示されていた表示画面を再度サブ表示部１０４に表示し、引き続き操作を行えるように処理する。
【０１６２】
これにより、例えば、閉じた状態でメールを送信する操作の途中にうっかり携帯電話を開いてしまった場合等に、メイン表示部１０３に警告メッセージが表示されるために、携帯電話を閉じてメール送信の操作の続きを行うことをユーザに促すことができる。
【０１６３】
なお、警告手段としては、例えば、警告するための色（例えば、赤色）をメイン表示部１０３もしくはサブ表示部１０４に表示したり、警告音で警告したり、あるいは、警告音、文字及び色情報を組み合わせて警告を行うようにしても構わない。また、警告音や表示文字の種類をユーザに選択させるように構成しても構わない。
【０１６４】
また、上記実施例では、途中で開いた状態になった場合にメイン操作キー１０６でメール送信の操作が行うことができないという前提であったため、閉じた状態に戻らせる警告を行ったが、開いた状態においても、引き続きメイン操作キー１０７を用いてメール送信の操作を行えるようにすると使い勝手はよい。
【０１６５】
この場合、ＣＰＵ１１０は、折畳検出部１０８により検出された開閉状態情報を参照して開いた状態になったことを認識すれば、これまでサブ操作キー１０７により行われた操作をいったん保持し、携帯電話を開く直前まで表示されていた表示画面をメイン表示部１０３に表示する。この場合、ＣＰＵ１１０は、メイン表示部１０３の表示画面の左右下側に表示される操作キーへの機能の割り当てをサブ表示部１０４のものと同じになるように処理する。すなわち、図７などで示した表示をサブ表示部１０４からメイン表示部１０３に切り換えると共に、各表示画面においてサブ操作キー１０７ａと１０７ｂに割当てていたものをメイン操作キー１０６ａと１０６ｂに割当てるように処理を行う。また、再度、携帯電話を閉じた場合も、上述した処理と同様の処理を行う。
【０１６６】
これにより、閉じた状態と開いた状態において共通の表示画面を利用し、かつ前面に配置された操作キーと同様の配置の背面に配置された操作キー、例えば、メイン操作キー１０６ａとサブ操作キー１０７ａ、メイン操作キー１０６ｂとサブ操作キー１０７ｂの役割を同じにすることで、閉じた状態でメールを送信する操作の途中で携帯電話が開いた状態になったとしても、継続して同様の操作でメール送信を行うことができるため、使い勝手がよい。
【０１６７】
次に、閉じた状態でメール送信の相手先を選択した後に、携帯電話を開いて比較的大きなメイン表示部１０３及び操作キーの数が豊富なメイン操作キー１０６により文章を入力可能とした実施例について説明する。
【０１６８】
この場合、例えば、図７（４）のような画面で送信先を選択した後に、携帯電話が開いた場合、ＣＰＵ１１０は、折畳検出部１０８により検出された開閉状態情報を参照して開いた状態になったことを認識し、メイン表示部１０３に文字や数字等を入力可能とした入力画面を表示する。そして、ユーザは、メイン操作キー１０６を利用して、この入力画面に文字等を入力し、メールの送信を行えるように構成する。
【０１６９】
これにより、例えば、いったん閉じた状態のままで素早くメールを送信しようと考えていたが、途中で思い直して文章も入力して送信したいと思った場合、携帯電話を開くだけで、自動的に文字等の入力画面がメイン表示部１０３に表示されるため、使い勝手がよい。この場合、メールの送信先を選択した後を条件としたが、送信先を選択する前であっても同様の処理を行うように構成しても良い。この場合、単に開いた状態で使用される通常のメール機能を自動的に立ち上げるよう構成しても良い。
【０１７０】
以上、閉じた状態におけるメール送信機能について説明したが、キー配置や表示画面などは本実施例に限定されないことは言うまでもない。また、文字入力のない表示画面により送信する構成については、折り畳み式の携帯電話のみならず、その他の携帯電話にも適用できることは言うまでもない。
【０１７１】
次に、携帯電話が閉じている状態でメールを受信した場合における処理について説明する。以下、図８のフローチャート及び図９の表示画面例を用いて説明する。
【０１７２】
例えば、図９（１）に示すような待受画面を表示している待受状態（Ｓ８０１）において、メールサーバーより、例えば、携帯電話網などの通信網及び通信部１０１介してメールを受信すると、メール受信信号を受けたＣＰＵ１１０は、メールサーバーにメールデータダウンロード要求信号を送信し、さらにダウンロード要求信号を受けたメールサーバーは、携帯電話にメールデータを送信する（Ｓ８０２）。このとき、メールデータを受信したＣＰＵ１１０は、不揮発メモリ１０２ｂのメール保存領域にメールデータを記憶する（Ｓ８０３）。
【０１７３】
さらにこのとき、ＣＰＵ１１０は、不揮発メモリ１０２ｂにあるメールデータから送信者のメールアドレスを参照し、参照したメールアドレスを検索キーとして不揮発メモリ１０２ｂにあるアドレス帳データを検索して対応する名前を参照するとともに、例えば、図９（２）のように、送信者名やユーザに受信したメールの内容を確認するかどうかを尋ねる表示をサブ表示部１０４に表示する（Ｓ８０４）。
【０１７４】
図９（２）においては、サブ操作キー１０７ａは「Ｎｏ」キーとして機能し、サブ操作キー１０７ｂは「Ｙｅｓ」キーとして機能する。
【０１７５】
このＮｏキー１０７ａからの信号がＣＰＵ１１０へ入力されると、ＣＰＵ１１０は、例えば、図９（１）のような待受画面をサブ表示部１０４に表示する（Ｓ８０５）。このとき、内容を確認していないメールデータがある旨をユーザに通知する目的で、ＣＰＵ１１０はサブ表示部１０４に適当なアイコンを表示してもよい。
【０１７６】
一方、Ｙｅｓキー１０７ｂからの信号がＣＰＵ１１０へ入力されると（Ｓ８０５）、ＣＰＵ１１０は不揮発メモリ１０２ｂにあるメールデータを参照するとともに、例えば、図９（３）のようにサブ表示部１０４に表示する（Ｓ８０６）。
【０１７７】
図９（３）において、サブ操作キー１０７ａは「戻る」キーとして機能し、サブ操作キー１０７ｂは「画像」キーとして機能する。
【０１７８】
この「戻る」キー１０７ａからの信号がＣＰＵ１１０へ入力されると、ＣＰＵ１１０は、例えば図９（１）のような待受画面をサブ表示部１０４に表示する（Ｓ８０７）。
【０１７９】
また、画像キー１０７ｂからの信号がＣＰＵ１１０へ入力されると、ＣＰＵ１１０は、不揮発メモリ１０２ｂにあるメールデータの画像データを参照するとともに画像データをデコード処理して、例えば図９（４）のようにサブ表示部１０４に表示する（Ｓ８０８）。
【０１８０】
図９（４）において、サブ操作キー１０７ａは「戻る」キーとして機能し、サブ操作キー１０７ｂはフォルダへ「記憶」キーとして機能する。
【０１８１】
この「戻る」キー１０７ａからの信号がＣＰＵ１１０へ入力されると、ＣＰＵ１１０は、再度不揮発メモリ１０２ｂにあるメールデータを参照するとともに、例えば、図９（３）のようにサブ表示部１０４に表示する（Ｓ８０９）。
【０１８２】
また、フォルダへ「記憶」キー１０７ｂからの信号がＣＰＵ１１０へ入力されると、ＣＰＵ１１０は、不揮発メモリ１０２ｂにあるメールデータの画像データを参照するとともに、不揮発メモリ１０２ｂにある画像保存領域にコピーする（Ｓ８１０）。このとき、画像の記憶が完了した旨をユーザに通知する目的で、ＣＰＵ１１０は、サブ表示部１０４に、例えば、図９（５）のようなポップアップ画面をサブ表示部１０４に表示してもよい。
【０１８３】
以上により、従来、わざわざ携帯電話を開けてＥ−ｍａｉｌモードへ移行して受信メールの内容を読むという操作が必要であったが、本実施例においては、メールを受信した直後にメールの内容を読むか否かを選択させることで、そのような手間を省略することができる。従って、操作キーが限られ閉じた状態においても速やかにかつ簡単な操作で受信直後のメール内容を読むことができ、使い勝手が非常によい。
【０１８４】
なお、メールを受信したことに気づかない場合も想定され得るので、メールを受信した直後にメールの内容を読むか否かを選択させる画面（図９（２））を所定の時間が経過すれば消去し、メールの受信があった旨を表示させるようにしてもよい。これにより、無駄な消費電力を低減できる。
【０１８５】
また、メールの内容を読むか否かを選択させる画面を表示した後、携帯電話を開くことにより自動的にメールの本文をメイン表示部１０３に表示させるように構成しても良い。すなわち、携帯電話を開けることがメールを読むとのユーザの意思表示とすることも可能である。この場合、折畳検出部１０８により開いた状態が検出された場合に、ＣＰＵ１１０がメール機能を立ち上げた後、受信したメール本文を表示させるように構成すれば良い。
【０１８６】
また、上記実施例においては、画像情報が添付されたメールを受信する場合を説明したが、これに限定するものではなく、画像情報が添付されていないメールを受信するようにしても構わない。
【０１８７】
この場合、添付された画像情報に関する処理、すなわち、図８のＳ８０７〜Ｓ８１０が省略されることになる。なお、図９（６）〜（８）はその場合の表示画面例である。これにより、画像情報が添付されていないメールを受信した場合においても、携帯電話が閉じた状態で受信直後のメール内容を読むことができる。
【０１８８】
次に、第４の実施例について、図１０のフローチャート及び１１の表示画面例を用いて説明する。ここでは、携帯電話が閉じている状態で電話の着信があった場合に、安心して通話を開始できる実施例について説明する。
【０１８９】
図１０（１）は、ユーザＡの携帯電話（携帯Ａ）、ユーザＢの携帯電話（携帯Ｂ）及び交換機Ｃとを含んだ全体的なシステムを示した図である。図１０（２）は、本実施例における携帯Ａの処理フロー図であり、図１０（３）は、全体的なシステムおける処理フロー図である。
【０１９０】
例えば、図１１（１）に示すような待受画面を表示している待受状態（Ｓ１００１）において、携帯Ｂより発信された発呼信号を受信した（Ｓ１１０１）交換機Ｃは、携帯Ａを呼び出すための呼び出し信号を携帯Ａに送信する（Ｓ１１０２）。
【０１９１】
呼び出し信号を受信した携帯ＡのＣＰＵ１１０は、呼び出し信号から携帯Ｂの電話番号などを解析し、その電話番号を検索キーとして不揮発メモリ１０２ｂにあるアドレス帳データを検索し、例えば、図１１（２）のように、検索キーに対応する名前情報をサブ表示部１０４に表示し、着信があることをユーザに通知する（Ｓ１００３）。ここで、もし、検索キーに対応する名前情報がアドレス帳データにない場合は、ＣＰＵ１１０は、携帯Ｂの電話番号を表示する。
【０１９２】
図１１（２）において、サブ操作キー１０７ａは「メッセージ」キーとして機能し、サブ操作キー１０７ｂは「切断」キーとして機能する。
【０１９３】
この切断キー１０７ｂからの信号がＣＰＵ１１０へ入力されると、ＣＰＵ１１０は、通信部１０１を介して交換機Ｃに切断信号を送信し、着信を拒否するとともに待受状態（Ｓ１００１）に戻り、例えば、図１１（１）のような待受画面をサブ表示部１０４に表示する（Ｓ１００４）。
【０１９４】
また、メッセージキー１０７ａからの信号がＣＰＵ１１０へ入力されると（Ｓ１００５）、ＣＰＵ１１０は、通信部１０１を介して交換機Ｃに着信許可信号を送信し（Ｓ１１０３）、通話回線を接続する（Ｓ１１０４）。次に、ＣＰＵ１１０は、不揮発メモリ１０２ｂに記憶された応答メッセージデータを参照するとともに、通信部１０１及び交換機Ｃを介して、例えば、「もうすぐ出ますのでしばらくお待ち下さい」等の応答メッセージを携帯Ｂに送信する（Ｓ１００６）（Ｓ１１０５）。このとき、携帯Ｂに応答メッセージを流している旨をユーザに通知するために、ＣＰＵ１１０は、サブ表示部１０４に、例えば、図１１（３）のようなポップアップ画面を表示し、通話状態を保持する（Ｓ１１０６）。
【０１９５】
このとき、発信先に応答メッセージを流している最中である旨をユーザに伝える目的で、メイン表示部１０３に、例えば、図１１（４）のようなポップアップ画面を表示させてもよい。
【０１９６】
図１１（３）において、サブ操作キー１０７ｂは切断キーとして機能する。
この切断キー１０７ｂからの信号がＣＰＵ１１０へ入力されると、ＣＰＵ１１０は通信部１０１を介して、交換機Ｃに切断信号を送信し、通話を終了するとともに待受状態に戻り、例えば、図１１（１）のような待受画面をサブ表示部１０４に表示する（Ｓ１００７）。
【０１９７】
携帯Ｂに応答メッセージを送信した（Ｓ１００６）後に、携帯Ａを開き、メイン操作キー１０６の通話開始キー（図１１（４））が押下されると、通話開始キーから通話開始指示信号がＣＰＵ１１０へ入力され、（Ｓ１００８）、ＣＰＵ１１０は、応答メッセージの送信を停止するとともに通話開始指示信号を送信し（Ｓ１１０７）、マイク１１１および通話スピーカ１１２を起動して、Ｓ１００６において保持された通話状態から通話可能な状態とする（Ｓ１００９）（Ｓ１１０８）。
【０１９８】
以上により、携帯電話が閉じた状態で電話の着信を受けた場合に、ひとまず発信端末に応答メッセージを通知し、その後に慌てることなく余裕をもって発信者と通話を開始することができるので、使い勝手がよい。
【０１９９】
また、サブ操作キー１０７ａ（メッセージキー）を押下するなどの簡易な操作で応答メッセージを送信することができるので、発信者に電話に出る意志を早く伝えることができ、発信者も安心して通話の開始を待つことができる。
【０２００】
なお、応答メッセージを発信端末に送信してから通話開始までに経過した時間（以下、応答経過時間）が予め設定された設定時間を越えた場合に、ユーザに通話開始するための警告を行うようにしてもよい。この場合、メッセージキー１０７ａからの信号がＣＰＵ１１０へ入力されると（Ｓ１００５）、ＣＰＵ１１０は、タイマ機能を動作させ、経過時間のカウントを開始する。その後、不揮発メモリ１０２ｂに予め記憶された設定時間を参照し、経過時間が設定時間を超えた場合、ＣＰＵ１１０は、予め不揮発メモリ１０２ａに記憶された警告用の音声信号を楽曲スピーカ１１３に出力する。これにより、例えば、電話着信時にメッセージキー１０７ａを押したことを気づかない場合であっても、ユーザに警告音等の警告手段で通話開始を促すことができるため、発信者が応答メッセージを聞いた状態のまま放置されることを防止できる。
【０２０１】
なお、警告手段は上記実施例に限定するものではなく、例えば、警告するための文字や色をサブ表示部１０４に表示したり、警告音、文字及び色情報を組み合わせてユーザに通話開始を促す警告を行うようにしても構わないし、警告音や表示文字の種類をユーザに選択させるように構成しても構わない。
【０２０２】
また、電話に出られない場合に発信者に伝言を送る留守番電話機能を備えた携帯電話においては、応答経過時間が留守番電話機能を起動し始める時間（以下、留守番電話設定時間）を越えた場合、自動的に留守番電話機能が起動するので、通話を開始することができない。そのため、メッセージキー１０７ａが押下された場合は、留守番電話機能を停止させるようにしてもよい。
【０２０３】
この場合、メッセージキー１０７ａからの信号がＣＰＵ１１０へ入力されると（Ｓ１００５）、ＣＰＵ１１０は、タイマ機能を動作させ、経過時間のカウントを開始する。その後、ＣＰＵ１１０は、不揮発メモリ１０２ｂに予め記憶された留守番電話設定時間を参照し、応答経過時間が留守番電話設定時間を超えても、留守番電話の再生を指示する留守番電話再生指示信号を電話通信網、例えば、留守番電話伝言サービスセンターへ送信する処理を行わないようにする。
【０２０４】
これにより、応答経過時間が留守番電話設定時間を経過しても留守番電話機能が起動することがないため、ユーザは慌てることなく携帯電話を開けて通話開始の操作を行うことができる。
【０２０５】
なお、上記実施例では、応答経過時間が留守番電話設定時間を経過した場合に留守番電話機能そのものを停止させるように構成したが、留守番電話設定時間を自動的に延長するように構成しても良い。
【０２０６】
この場合、メッセージキー１０７ａからの信号がＣＰＵ１１０へ入力されると（Ｓ１００５）、ＣＰＵ１１０は、タイマ機能を動作させ、経過時間のカウントを開始し、その後、ＣＰＵ１１０は、不揮発メモリ１０２ｂに予め記憶された留守番電話設定時間（例えば、１５秒間）を所定の設定値分（例えば、３０秒間）延長するように変更するように処理する。
【０２０７】
これにより、応答経過時間が留守番電話設定時間を経過してもある程度の時間（ここでは、３０秒間）は留守番電話機能が起動することがないため、ユーザは慌てることなく携帯電話を開けて通話開始の操作を行うことができる。
【０２０８】
なお、不揮発メモリ１０２ｂに記憶された留守番電話設定時間及び延長設定値をユーザにより変更可能にしてもよいのは言うまでもない。
【０２０９】
伝言再生指示信号を受信した留守番電話伝言サービスセンターは、伝言メッセージ信号を発信端末に送信する。伝言メッセージ信号を受信した発信端末のＣＰＵは、伝言メッセージ信号を通話スピーカ等に出力し、発信者に伝言メッセージを通知する。
【０２１０】
なお、上記実施例では、メッセージキー１０７ａを押下した後、例えば、図１１（４）のように携帯電話が開いた状態で、通話開始キーを押下して通話開始する（Ｓ１００９）ように構成したが、メッセージキー１０７ａを押下するということは後々電話に出るという意思表示でもあるため、開いた状態において再度通話開始キーを押下させるのは２度手間になる。
【０２１１】
そこで、閉じた状態でメッセージキー１０７ａを押下した後、携帯電話を開けば自動的に通話開始するように構成しても良い。
【０２１２】
この場合、携帯電話を開いた状態にすると、揮発メモリ１０２ａに記憶された開閉状態情報が閉じている状態「１」から開いている状態では「０」に変更され、その変更を認識したＣＰＵ１１０は、応答メッセージの送信を停止するとともに、マイク１１１および通話スピーカ１１２を起動し、Ｓ１００６において保持された通話状態の再開処理を行う（Ｓ１００９）。
【０２１３】
これにより、わざわざ通話開始キーを押す手間を省略することが通話開始できるので、使い勝手が良い。
【０２１４】
また、Ｓ１００６において送信される応答メッセージを電話通信網、例えば、交換機が送信するように構成しても良い。この場合、例えば、図１１（１）に示すような待受画面を表示している待受状態（Ｓ１００１）において、携帯Ｂより発信された発呼信号を受信した（Ｓ１２０１）交換機Ｃは、携帯Ａを呼び出すための呼び出し信号を携帯Ａに送信する（Ｓ１２０２）。
【０２１５】
呼び出し信号を受信した携帯ＡのＣＰＵ１１０は、呼び出し信号から携帯Ｂの電話番号などを解析し、その電話番号を検索キーとして不揮発メモリ１０２ｂにあるアドレス帳データを検索し、例えば、図１１（２）のように、検索キーに対応する名前情報をサブ表示部１０４に表示し、着信があることをユーザに通知する（Ｓ１００３）。ここで、もし、検索キーに対応する名前情報がアドレス帳データにない場合は、ＣＰＵ１１０は、携帯Ｂの電話番号を表示する。
【０２１６】
図１１（２）において、サブ操作キー１０７ａは「メッセージ」キーとして機能し、サブ操作キー１０７ｂは「切断」キーとして機能する。
【０２１７】
この切断キー１０７ｂからの信号がＣＰＵ１１０へ入力されると、ＣＰＵ１１０は、通信部１０１を介して交換機Ｃに切断信号を送信し、着信を拒否するとともに待受状態（Ｓ１００１）に戻り、例えば、図１１（１）のような待受画面をサブ表示部１０４に表示する（Ｓ１００４）。
【０２１８】
また、メッセージキー１０７ａからの信号がＣＰＵ１１０へ入力されると（Ｓ１００５）、ＣＰＵ１１０は、通信部１０１を介して交換機Ｃに応答メッセージ開始信号を送信する（Ｓ１１０４）（Ｓ１２０３）。次に、交換機Ｃは、例えば、「もうすぐ出ますのでしばらくお待ち下さい」等の応答メッセージを携帯Ｂに送信する（Ｓ１００６）（Ｓ１２０４）。このとき、携帯Ｂに応答メッセージを流している旨をユーザに通知するために、ＣＰＵ１１０は、サブ表示部１０４に、例えば、図１１（３）のようなポップアップ画面を表示する。このとき、携帯Ａと携帯Ｂの間で通信を確立しても良いし、確立しなくても良いが、無線リソースが有限であることから、携帯Ａと携帯Ｂの間で通信を確立しないほうが無線リソースの使用効率はより良い。
【０２１９】
図１１（３）において、サブ操作キー１０７ｂは切断キーとして機能する。
この切断キー１０７ｂからの信号がＣＰＵ１１０へ入力されると、ＣＰＵ１１０は通信部１０１を介して、交換機Ｃに切断信号を送信し、交換機Ｃから携帯Ｂへの応答メッセージの送信を終了するとともに、携帯Ａは待受状態に戻り、例えば、図１１（１）のような待受画面をサブ表示部１０４に表示する（Ｓ１００７）。
【０２２０】
交換機Ｃに応答メッセージ開始信号を送信した（Ｓ１２０３）後に、携帯Ａを開き、メイン操作キー１０６の通話開始キー（図１１（４））が押下されると、通話開始キーから通話開始指示信号がＣＰＵ１１０へ入力され、（Ｓ１００８）、ＣＰＵ１１０は、交換機Ｃに通話開始指示信号を送信し（Ｓ１２０５）、携帯Ｂと通信接続を確立する（Ｓ１２０６）とともに、マイク１１１および通話スピーカ１１２を起動して、通話可能な状態とする（Ｓ１００９）（Ｓ１２０７）。
【０２２１】
以上により、交換機が応答メッセージを送信するように構成されるため、携帯電話のメモリ及び処理の負担が軽減される。
【０２２２】
以上、閉じた状態におけるメール受信と電話着信とについて説明したが、キー配置や表示画面などは本実施例に限定されないことは言うまでもない。また、メール着信時にメッセージを表示し、そのメッセージに基づきメールの閲覧を問い合わせる点、その問い合わせ結果に基づき、自動的にメール本文を表示する点については、折り畳み式の携帯電話のみならず、その他の携帯電話にも適用できることは言うまでもない。
【０２２３】
また、これまでの実施例においては、サブ表示部１０４に表示される表示画面の前画面に戻る方法としては、例えば、サブ操作キー１０７ａ、１０７ｂのどちらかに「戻る」機能を割り当てたが、「戻る」用の専用操作キーを、携帯電話が閉じられた状態でも操作可能な場所に別途設けて、それが押下された場合に前画面に戻るように構成してもよい。
【０２２４】
また、本実施例では、表示部として液晶を考えたが、これに限定するものではなく、例えば、有機ＥＬ等の発光素子を用いた表示部であっても構わない。
また、本実施例では、特に、閉じた状態でのサブ液晶の有効的な利用を図ることができる。
【０２２５】
また、本発明は、上記に示された実施例に限定されるものではなく、ここに開示された原理及び新しい特性は広範囲の技術的範囲を含むものである。
【０２２６】
【発明の効果】
以上により、本発明によれば、メール送信時に関する使い勝手を向上させることができる。
【図面の簡単な説明】
【図１】本実施例の携帯電話の概観図である。
【図２】本実施例の構成ブロック図である。
【図３】カメラ撮影に関する処理フロー図である。
【図４】撮像画像情報の記憶フォーマット図である。
【図５】カメラ撮影に関する表示画面例である。
【図６】閉じた状態のままメール送信に関する処理フロー図である
【図７】閉じた状態のままメール送信に関する表示画面例である。
【図８】メール受信時の使い勝手に関する実施例の処理フロー図である
【図９】メール受信時の使い勝手に関する実施例の表示画面例である。
【図１０】電話着信時の使い勝手に関する実施例のシステム図、処理フロー図である。
【図１１】電話着信時の使い勝手に関する実施例の表示画面例である。
【図１２】サブ操作キー１０７の配置例である。
【図１３】サブ操作キーの形状を示した図である。
【図１４】カメラモード以外の通常時におけるサブ表示部１０４の表示画面遷移例である。
【図１５】筐体の背面もしくは側面の定義を説明する図である。
【符号の説明】
１０１：通信部
１０２：メモリ
１０２ａ：揮発メモリ
１０２ｂ：不揮発メモリ
１０３：メイン表示部
１０４：サブ表示部
１０５：モード選択キー
１０６：メイン操作キー
１０７：サブ操作キー
１０８：折畳検出部
１０９：撮像カメラ
１１０：ＣＰＵ
１１１：通話用スピーカ
１１２：マイク
１１３：楽曲スピーカ
２００：メイン表示部１０３を有する筐体
２０１：メイン操作部１０６を有する筐体
３００：ヒンジ部
【図１】
2004128908.tif 000003
【図２】
2004128908.tif 000004
【図３】
2004128908.tif 000005
【図４】
2004128908.tif 000006
【図５】
2004128908.tif 000007
【図６】
2004128908.tif 000008
【図７】
2004128908.tif 000009
【図８】
2004128908.tif 000010
【図９】
2004128908.tif 000011
【図１０】
2004128908.tif 000012
【図１１】
2004128908.tif 000013
【図１２】
2004128908.tif 000014
【図１３】
2004128908.tif 000015
【図１４】
2004128908.tif 000016
【図１５】
2004128908.tif 000017